(57)【要約】【課題】花の出し入れを行っても花の収納性が良好で多くの花をコンパクトに収容できる容器を提供する。【解決手段】本発明の容器１００は、複数の切り花、枝又は植物の葉茎を収容する容器であって、底部２０と、底部の周囲から上方に設けられた側壁部１０とを有し、容器内部側において前記側壁部から前記底部の中央部分に向かって傾斜部３０が設けられており、前記傾斜部の任意の場所において上側の斜度は下側の斜度以上である。【選択図】図１
2014217665.tif 000002
【特許請求の範囲】
【請求項１】
複数の切り花、枝又は植物の葉茎を収容する容器であって、
底部と、底部の周囲から上方に設けられた側壁部とを有し、
容器内部側において前記側壁部から前記底部の中央部分に向かって傾斜部が設けられており、
前記傾斜部の任意の場所において上側の斜度は下側の斜度以上である、容器。
【請求項２】
前記側壁部の上端である開口部は、縦の横に対する比の値が０．８以下である横長の平面形状を備えている、請求項１に記載されている容器。
【請求項３】
前記傾斜部は曲面によって形成されている、請求項１又は２に記載されている容器。
【請求項４】
前記傾斜部と前記側壁部とはなめらかに連結しており、前記傾斜部と前記底部の中央部分はなめらかに連結している、請求項３に記載されている容器。
【請求項５】
前記開口部の縦側における前記側壁部は、鉛直に対して３度以上３０度以下の角度で上方に行くに従って外方に開く傾きを有している、請求項２から４のいずれか一つに記載されている容器。
【請求項６】
前記開口部には、縦側及び横側にそれぞれ向かい合う一対の持ち手が形成されている、請求項２から５のいずれか一つに記載されている容器。
【請求項７】
前記開口部の平面形状は長方形である、請求項２から６のいずれか一つに記載されている容器。
【請求項８】
前記傾斜部は、前記底部及び前記側壁部と別部材として形成されて、両者を組み合わせて形成される、請求項１から７のいずれか一つに記載されている容器。
【発明の詳細な説明】
【技術分野】
【０００１】
本発明は容器に関し、特に複数の切り花、枝又は植物の葉茎を収容する容器に関するものである。
【背景技術】
【０００２】
花屋においては、販売する切り花や枝を種類毎に図５に示す円筒形の容器２００に入れて店頭に並べ、顧客からの要望に従って容器から花を取り出してアレンジを施してＰＰフィルムで包装して販売している。容器２００の中には複数本の花が投入されているが、花を容器２００から出し入れする際に花同士が接触し擦れあって傷んでしまわないように、店員が気をつけて花を扱っている。
【０００３】
近年、農産物等の直売所や道の駅等の販売所などで、商品が並べられている場所には販売員が不在で購買者自らが商品を手にして、レジにいる販売員のところへ持っていく販売形式が増えている。このような販売形式においては、切り花は花屋の店頭と同様に円筒形の容器２００に複数本入れられた状態となっており、そこから購買者が自分で抜き取っていく。このとき、容器２００に入った状態では花の上端部しか見えていないため、抜き取った花を全体で見たときに購買者が気に入らず、別の花と交換するということがしばしば起こる。交換する際には、購買者が気に入らなかった花を容器２００に戻す。
【先行技術文献】
【特許文献】
【０００４】
【特許文献１】特開２００７−６８８６０号公報
【特許文献２】特開２００６−１９８２８８号公報
【発明の概要】
【発明が解決しようとする課題】
【０００５】
しかしながら花を容器２００に戻すと、図６に示すように花１，１，・・・の末端２，２，・・・が容器２００の底面２２０の様々な場所にばらばらに位置してしまって花１，１同士が茎の途中で交差してしまう。特に花１の出し入れを何度も繰り返すと茎の交差が何カ所も発生してしまう。なお図６ではＰＰフィルムによる円錐形の包装で花１を表している。このような状態になるといくつもの問題が発生する。まず、交差した茎が邪魔になって容器２００の中に少数しか花１が入っていなくてもそれ以上花１を容器に入れられなくなるという収容性悪化の問題がある。無理に入れようとすると、花１が傷んでしまう。逆に花１を容器２００から取り出すときにも茎が絡まっているため花１が傷んだり、複数本出てきてしまってそれが床に落ちて商品価値が下がってしまう。また、花１を容器２００に差し込んでも交差部分に邪魔されて花１の末端２が生け水に達しない場合が発生して、花１の品質が低下してしまう問題も発生する。
【０００６】
このような問題は花屋においても起こりうるが、セルフサービスの販売所で顕著に発生する。なぜならば、花屋では店員が花を扱うため、品質の低下に注意するとともに、最初に花を選ぶ際に容器に戻さないで済むように注意を払っている。しかし、販売所では購買者は自分の購入する商品に関心を示すが、自分が購入した後に残った商品の状態に関心を向けてそれら商品を扱うことはほとんどないからである。そもそもいったん茎が交差してしまった状態になるとそれをもとの状態に戻すのは非常に労力が必要になるため、購買者がもとの状態にしようとすることはないからでもある。
【０００７】
特許文献１，２には複数の花を個別に収容する容器が開示されている。しかしこれらの容器は、それぞれの花は傷むこと無く出し入れできるが１本あたりの花が占める面積が大きくなり、容器全体が大きくなってしまうとともに、容器字体の製作コストが大きくなってしまう。
【０００８】
本発明は、かかる点に鑑みてなされたものであり、その目的とするところは、花の出し入れを行っても花の収納性が良好で多くの花をコンパクトに収容できる容器を提供することにある。
【課題を解決するための手段】
【０００９】
上述の課題を解決するために、本願の容器は、複数の切り花、枝又は植物の葉茎を収容する容器であって、底部と、底部の周囲から上方に設けられた側壁部とを有し、容器内部側において前記側壁部から前記底部の中央部分に向かって傾斜部が設けられており、前記傾斜部の任意の場所において上側の斜度は下側の斜度以上である構成を備えている。ここで植物の葉茎には、野菜や樹木の苗木も含まれる。
【００１０】
上記の構成により、容器に入れられた切り花等の下端部は傾斜部に沿って底部の中央部分へ移動していくため、容器入れられたすべての切り花は下端部が底部の中央部分に集まり、結果的に底部中央から放射状にすべての切り花が容器上方へ広がるため、途中で茎が絡まることはない。
【００１１】
前記側壁部の上端である開口部は、縦の横に対する比の値が０．８以下である横長の平面形状を備えていることが好ましい。
【００１２】
上記の構成であると、横方向に容器に入れられた切り花を押すことにより、容器内の切り花がそのまま横方向に寄っていって新たな切り花の投入空間を容易に形成することができる。
【００１３】
前記傾斜部は曲面によって形成されていることが好ましい。
【００１４】
上記構成により、容器に入れられた切り花の下端は、より確実に底部中央に移動することができる。
【００１５】
前記傾斜部と前記側壁部とはなめらかに連結しており、前記傾斜部と前記底部の中央部分はなめらかに連結していることが好ましい。ここで言うなめらかとは、連結部分において側壁部が傾斜部の曲面に対して外接面となっていることをいい、底部の中央部分が平面の場合は当該平面が傾斜部の曲面に対して外接面となっていることをいう。底部の中央部分が曲面の場合は当該曲面と傾斜部の曲面とが曲面として連続的に連結していることをいう。
【００１６】
上記構成により、傾斜部と側壁部との連結部分、及び傾斜部と底部の中央部分との連結部に切り花の下端部が引っかかって止まってしまうことを回避できるとともにこれらの部分に汚れがたまることを防止できる。
【００１７】
前記開口部の縦側における前記側壁部は、鉛直に対して３度以上３０度以下の角度で上方に行くに従って外方に開く傾きを有していることが好ましい。
【００１８】
上記構成により、切り花を多量に入れることが可能になる。
【００１９】
前記開口部には、縦側及び横側にそれぞれ向かい合う一対の持ち手が形成されていることが好ましい。
【００２０】
上記構成により、花がたくさん入っているときは横側に存する持ち手で持って花を傷めず且つ重量にも耐えられる。空の容器は縦側に存する持ち手を持てば容器の傾きが少なく運びやすい。
【００２１】
前記開口部の平面形状は長方形であることが好ましい。ここで長方形は数学的な意味での長方形ではなく、一般的な容器として許容される長方形の形状、例えば角が丸みを帯びていたり、辺が外側に多少膨らんでいたりしているものも含まれる。
【００２２】
前記傾斜部は、前記底部及び前記側壁部と別部材として形成されて、両者を組み合わせて形成されてもよい。
【００２３】
上記構成により、従来の容器に傾斜部の部材を組み合わせることで本願の容器を容易に形成することができる。
【発明の効果】
【００２４】
本発明の容器は、側壁部から底部の中央部分に向かって傾斜部が設けられ、この傾斜部の任意の場所において上側の斜度は下側の斜度以上であるので、複数の切り花を挿入してもすべての下端が底部の中央部に集まり、茎の途中で互いに交差して絡まることがなく、花の出し入れを繰り返しても花の痛みが少なくかつ多くの花を入れておくことができる。
【図面の簡単な説明】
【００２５】
【図１】実施形態に係る容器の模式的な斜視図である。
【図２】図１のＡ−Ａ'線断面図である。
【図３】図１のＢ−Ｂ'線断面図である。
【図４】実施形態に係る容器に花を入れた状態の模式的な斜視図である。
【図５】比較形態に係る容器の模式的な斜視図である。
【図６】比較形態に係る容器に花を入れた状態の模式的な斜視図である。
【図７】比較形態に係る別の容器の模式的な斜視図である。
【図８】実施形態に係る別の容器の模式的な斜視図である。
【発明を実施するための形態】
【００２６】
以下、本発明の実施形態を図面に基づいて詳細に説明する。以下の図面においては、説明の簡潔化のため、実質的に同一の機能を有する構成要素を同一の参照符号で示す。
【００２７】
（実施形態１）
図１に実施形態１に係る容器１００を示す。この容器１００は４つの平板を備えた側壁部１０と、底部２０と、側壁部１０及び底部２０を繋いでいる傾斜部３０とを備えている。傾斜部３０は側壁部１０から底部２０中央部に向かって斜めに下がっている部分である。側壁部１０の上端の開口部４０は、平面形状が長方形であってその角が丸められている。開口部４０の周囲には補強のための折り曲げ部９０が形成されている。本実施形態の容器１００は熱可塑性樹脂を原材料として射出成形によって作製されている。
【００２８】
開口部４０は、横長形状であって縦の長さは横の長さの１／２である。
【００２９】
容器１００の内部形状を図２，３に示す。開口部４０の長辺に平行な断面を示す図２からわかるように、長方形の短辺側（縦側）の側壁部１１は上方へ行くに従って外側へ広がるように傾斜している。側壁部１１は鉛直線に対して１５度開いている。一方開口部４０の短辺に平行な断面を示す図３からわかるように、長方形の長辺側（横側）の側壁部１２は水平に対してほぼ垂直になっている。また、傾斜部３１，３２と底部２０とは全体でなめらかな曲面を形成していてすり鉢状になっている。本実施形態では、底部２０が曲面であって傾斜部３１，３２と連続してなめらかに連結しているため、底部２０と傾斜部３１，３２との境界が明確ではない。
【００３０】
傾斜部３１，３２は、その任意の場所においてその場所よりも上側の斜度と下側の斜度とを比べると、上側の斜度は下側の斜度以上である関係を有している。そして、傾斜部３１と側壁部１１及び傾斜部３２と側壁部１２とはそれぞれなめらかに連結していて、それぞれの境界部３５及び境界部３６は角を有していない。すなわち、傾斜部３１，３２が曲面である側壁部１１，１２に外接する面となっている。
【００３１】
図４は本実施形態の容器１００に複数の花１，１，・・・を挿入した状態を示している。花１はＰＰフィルムによる円錐形の包装で表現している。花１を容器１００に挿入すると、花の末端２は傾斜部３０に接触して底部２０へと移動していく。傾斜部３０の上側の斜度は下側の斜度以上であるので、末端２が傾斜部３０の上の方に当たると底部２０の方へ移動しやすい。そして、多数の花１，１，・・・を容器１００に挿入していってもそれらの末端２，２，・・・は順次底部２０の中央の方へ集まっていく。
【００３２】
従って花１の茎部分が交差してしまうことは起こらない。茎部分の交差は花１を挿入する際の邪魔になって、多数の花１，１，・・・を入れることができず、花１を容器から出す際にも邪魔になり、花１を痛めたり、別の花１を引っかけて外に落としてしまうが、本実施形態の容器１００を用いると、このようなことは生じない。すなわち、本実施形態の容器１００を用いれば、多数の花１，１，・・・を挿入することができ、花１を容器１００から取り出す際も、１本ずつ容易に抜き取ることができる。また挿入したすべての花１，１，・・・の末端２，２，・・・が常に容器１００内の生け水（不図示）に浸かるようになる。
【００３３】
一方図５，６に示す比較形態の容器２００では、底部２２０が円形の平面であり、底部２２０の周縁からほぼ垂直に側壁部２１０が立ち上がっていて開口部分も円形である。このような容器２００では、花１を挿入すると底部２２０が平面であるので、末端２が底部２２０を滑って移動し、底部２２０と側壁部２１０との境界２２２に落ち着くことが多い。このため、花１の茎部分同士が交差して引っかかってしまう。こうなると花１を挿入する際の邪魔になって、多数の花１，１，・・・を入れることができないとともに生け水に届かない花１も存在するようになり、花１を容器２００から出す際にも邪魔になり、花１を痛めたり、別の花１を引っかけて外に落としてしまう。
【００３４】
また、比較形態の容器２００では、底部２２０と側壁部２１０との境界２２２が角になっているため、容器２００内部を洗うときにも汚れが残りやすいが、本実施形態の容器１００は、内部に角部分がないため汚れがたまる場所がなく、洗浄もしやすい。実際に本実施形態の容器１００と比較形態の容器２００とを、水と花１を入れて使用した後、スポンジで簡易的に洗浄して、再度水と花１を入れたところ、２日後の水内の生菌数は比較形態の容器２００の方が実施形態の容器１００の約２５０倍であった。
【００３５】
本実施形態の容器１００は開口部４０が横長の形状であるため、挿入された花１，１，・・・数が減ってきて、花１を追加しようとする際に、短辺側の側壁部１１の一方から他方へ横方向に挿入された花１，１，・・・を押すと、花１，１，・・・がそのまま他方の側壁部１１の方へ寄っていき、追加の花１を挿入するスペースを容易に且つ広く確保することができる。しかし、比較形態の容器２００では容器２００に挿入された花を一方に押しても、花１，１，・・・が押された方向以外にも広がってしまい、うまく広いスペースを作ることができない。さらには、茎部分が交差していると、花１，１，・・・が移動せず、スペースを作ることができない。本実施形態において、このような花１の追加のためのスペースを作ることができるのは、横長形状の縦の横に対する比の値が０．８以下、すなわち横が縦の１．２５倍以上の長さの場合である。０．８よりも大きい比であると花１が広がってしまい広いスペースが確保できない。縦の横に対する比は、容器の使用しやすさから０．２以上であることが好ましい。
【００３６】
図７は別の比較形態の容器３００であり、長方形の開口部であって、底部３２０も長方形の平面であって、側壁部３１０はその周縁からほぼ垂直に立ち上がっている。比較形態の容器３００も多数の花１，１，・・・を挿入すると底部３２０と側壁部３１０との境界３２２に末端２が散らばって、茎部分が交差してしまう。従って、花１が痛みやすく、多くの花１，１，・・・を入れることができない。短辺側の側壁部３１０の一方から他方へ挿入された花１，１，・・・を押しても茎部分が交差しているのでこの部分で引っかかって花１，１，・・・が移動せず、花１を追加するためのスペースを確保できない。
【００３７】
本実施形態の容器１００は、開口部４０の長方形の短辺側（縦側）の側壁部１１が上方へ行くに従って外側へ広がるように傾斜しているので、その傾斜分だけ花１を多く入れることができる。この側壁部１１の鉛直に対する傾きは３度以上あれば花１を多く入れる効果が明確に現れる。一方、３０度を超えると花１の上部が外側にはみ出すぎて購買者に触れてしまうため好ましくない。逆に長辺側の側壁部１２はほぼ鉛直であるので、花１の上部が側壁部１２の外側へ大きくはみ出ることはなく、長辺側を通路に面するように設置すれば、購買者に花１が当たることを防止でき、花１の傷みが生じない。また、このような形状のため、複数の容器１００を積み重ねて、全体の容積を小さくして保管することができる。
【００３８】
（実施形態２）
図８に示す実施形態２に係る容器１１０は、側壁部１０の上端に持ち手５１，５２を形成している点が実施形態１とは異なっており、それ以外の点は実施形態１と同じであるので、以下に実施形態１と異なっている点について説明を行う。実施形態１で説明した効果は本実施形態の容器１１０においても奏する。
【００３９】
持ち手５１，５２は、開口部の長方形の短辺部分中央に一対、長辺部分の中央に一対、合計４つ形成され、折り曲げ部９０に形成されている。側壁部１０の上部に穴６０を開けて指を挿入できるようにし、その部分の折り曲げ部９０は一部除去されていて握りやすくなっている。また持ち手５１，５２の底部６１は指の形に合わせて波形になっており握りやすさを向上させている。折り曲げ部９０の開口内側には段差部９２が形成されており、花の長さが長いときにこの段差部９２に底を抜いた段ボール箱をおいて側壁部１０の高さ方向の延長ができるようにしている。この際、各持ち手５１，５２の内壁面側に段ボール箱を支える支え部６２が形成されているため、段ボール箱が倒れないようになる。
【００４０】
開口部の長方形の短辺部分中央に一対の持ち手５２が形成されているので、水と花が入っていて重いときにはこの持ち手５２を持てば、短辺方向が短くて回転モーメントが小さいため、安定して持つことができるとともに、持つ人の体に当たる側壁はほぼ垂直であるため、花が持つ人の体に当たりにくくなっている。一方、空の容器１１０を片手で持つ際には、短辺側の持ち手５２を持つと回転モーメントが大きくて容器１１０が傾いてしまうが、長辺部分の持ち手５１を持てば回転モーメントが小さくて容器１１０が傾かずに持つことができる。
【００４１】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００４２】
傾斜部のみを別部材として作製して、図５，７に示すような底面が平らで傾斜部を有しない容器内部に組み込んで花入れ容器としてもよい。
【００４３】
側壁部上端の開口部の形状は長方形に限定されず、楕円形や長方形の角を丸めたり直線状に角を落としたり、長方形の各辺を外方へ広がる曲線とした形状などでもよい。すなわち、横長形状であって横の方が縦の１．２５倍以上の長さであれば形状は特に限定されない。
【００４４】
底部の中央部分が平面であっても構わない。この場合はできるだけ平面の面積が小さい方が好ましく、傾斜部がなくて底部がすべて平面である場合の底面面積の１／４以下が好ましい。
【００４５】
傾斜部は曲面である必要はなく、斜度の異なる複数の平面を連結した形状の面や、平面と曲面とを繋いだ形状の面であっても構わない。
【産業上の利用可能性】
【００４６】
以上説明したように、本発明に係る容器は、切り花の挿入性に優れており、切り花容器等として有用である。
【符号の説明】
【００４７】
１                花
１０              側壁部
１１，１２        側壁部
２０              底部
３０              傾斜部
３１，３２        傾斜部
４０              開口部
５１，５２        持ち手
１００，１１０    容器
【図１】
2014217665.tif 000003
【図２】
2014217665.tif 000004
【図３】
2014217665.tif 000005
【図４】
2014217665.tif 000006
【図５】
2014217665.tif 000007
【図６】
2014217665.tif 000008
【図７】
2014217665.tif 000009
【図８】
2014217665.tif 000010